(57)【要約】【課題】  高温超電導技術等の新エネルギー技術の発明を提供する。【解決手段】  この発明は、高温超電導技術等の新技術の新エネルギー技術の発明に関するものである。  昭和５３年度にイットリウム、バリウム、銅酸化物  組成は、Ｙ１２３であるとに発明した等、従来なかった高温超電導や新エネルギー技術の発明を行い、さらにアレンジをするだけで新発明ができることを特徴とする発明である。【特許請求の範囲】
【請求項１】
１  火薬による自動車のエアバッグの発明（昭和３７年  小学校３年）
２  イットリウム・銅酸化物の高温超電導物質（昭和４８年  高校３年生）
３  高校の授業中にアルコールランプであぶった実験用石綿金網のススが光っているとある生徒さんに言われ、炭素（グラファイト）・ススを高熱で熱し、高圧を加え、急激に冷やせばダイアモンド等になると発明。（カーボンナノチューブ、フラーレン）（当時名前なし  フラーレン等）（昭和４８年  高校３年生）
４  イットリウム、バリウム、銅酸化物  組成Ｙ１、２、３の高温超電導物質の発明。（昭和５３年度  横浜市立大学校門手前５０ｍ多数聞いていた。）（ランタン、バリウム、銅酸化物も含む。）
５  メタンガスがため池から噴き出しているのを見て、南海トラフのコオリの中にたくさんあり、将来の日本のエネルギーとなると発明。（メタンハイドレート等）
６  アモルファス及び鉄  ランタン  ヒ素  酸素の高温超電導（鉄系）を発明した。（平成１６年３月  総合県税事務所の送別会時、於ける甲府市）（アモルファスを使うことで常温超電導の可能性を目指したものである。狭く言って、光アモルファス、広く言ってアモルファス。エピタキシャル薄膜上にバッファ層をつくり、その上にアモルファス薄膜で電子エネルギーをトレイトするものである。・・・周知の技術を使った新技術の発明。）
【請求項２】
１から６をアレンジ・使用した発明（２００９年等たくさんできている。今後もできる。）
１  火薬による自動車のエアバッグの発明（昭和３７年  小学校３年）
２  イットリウム・銅酸化物の高温超電導物質（昭和４８年  高校３年生）
３  高校の授業中にアルコールランプであぶった実験用石綿金網のススが光っているとある生徒さんに言われ、炭素（グラファイト）・ススを高熱で熱し、高圧を加え、急激に冷やせばダイアモンド等になると発明。（カーボンナノチューブ、フラーレン）（当時名前なし  フラーレン等）（昭和４８年  高校３年生）
４  イットリウム、バリウム、銅酸化物  組成Ｙ１、２、３の高温超電導物質の発明。（昭和５３年度  横浜市立大学校門手前５０ｍ多数聞いていた。）（ランタン、バリウム、銅酸化物も含む。）
５  メタンガスがため池から噴き出しているのを見て、南海トラフのコオリの中にたくさんあり、将来の日本のエネルギーとなると発明。（メタンハイドレート等）
６  アモルファス及び鉄  ランタン  ヒ素  酸素の高温超電導（鉄系）を発明した。（平成１６年３月  総合県税事務所の送別会時、於ける甲府市）（アモルファスを使うことで常温超電導の可能性を目指したものである。狭く言って、光アモルファス、広く言ってアモルファス。エピタキシャル薄膜上にバッファ層をつくり、その上にアモルファス薄膜で電子エネルギーをトレイトするものである。・・・周知の技術を使った新技術の発明。）
【発明の詳細な説明】
【技術分野】
【０００１】  この発明は、高温超電導技術等の新技術の新エネルギー技術の発明に関するものである。
１  火薬による自動車のエアバックの発明は、昭和３７年に発明したものであり、日本の小堀氏のテレビニュースの実験よりもずっと前に発明したものである。これは、その後、何年もの研究の末アメリカが特許をとったが、火薬を使う点にアメリカが非常に驚いたというもので、この火薬を使う点に発明があった。
２  イットリウム・銅酸化物の高温超電導物質（昭和４８年  物理の授業中）は、その後のこの物質に昭和５３年のバリウムを入れた高温超電導物質の発見に直接つながる発明であった。
３  昭和４８年  高校の授業中にアルコールランプであぶった石綿金網のススが光っているとある生徒さんに言われ、当然、炭素（グラファイト）、ススを高温で熱し、高圧を加え、急激に冷やせばダイアモンド等になると発明した。（カーボンナノチューブ、フラーレン）（当時、名前はなしフラーレン等）
（ある生徒さんが電子の構成がサッカーボール型か聞いたので同意しつつ、なぜ、解かるんだと思ったが、電子顕微鏡で見ないと確定できないと思った。違う形も想定した。）
（その後、若い女の先生か、白衣をきた実習助手の先生か、懸命に電子顕微鏡を買ってと言っているのを見て笑った。）
その後、数年して東海大の先生がダイアモンドの作り方の特許を取ったニュースをテレビで見て似ているなと思い、今年まで、ダイアモンドの作り方は当然の技術だと思っていた。これらは、２００５年９月２７日付け、２００６年  山梨県立図書館郷土資料室が地域資料を集めているというので寄贈した（受領書あり）藤本富男家家歴に記入してある。
その後、２００９年等、以下のとおり実現したと思われる。
１  ２００９年３月１９日  東京大学等で黒鉛からアモルファスダイアモンドの生成に世界で初めて成功（中性子照射と衝撃圧縮超急冷法の組み合わせ）（つまり黒鉛の高温、高圧、急冷）
２  ２００８年１０月１３日  横浜市立大学  ディーゼルススから炭層カーボンナノチューブの生成
３  ２００９年７月２０日  東京大学  ＣＯ２を細菌の力で燃料に東大メタンガス生成実験に成功（日本の油田から細菌を発見  東京大学）
（細菌は、２００６年等の研修時に熱水鉱床にいるのではないかと発表。アメリカも熱水鉱床等の細菌をさがしていた。−これは、インターネットでみた。）等等。
４  昭和５３年度  横浜市立大学の同級生たちと東洋一の発電所計画を考え、大月市七保町の想定現場確認を行う。（同級生の一人が揚水型電気貯蔵つまり昼間電力を使い夜、水を上げるタイプと言った。）
その後、横浜に帰り横浜市立大学の校門の手前約５０ｍで揚水型電気貯蔵水力発電所から超電導の話になり同級生の一人に超電導はもうできているのと聞いたところ出来ていると言うので、高校のころイットリウム・銅酸化物の超電導を言ったが、それか訪ねた。他の人がそれだけかと言ったので、瞬間的な閃きで、それにバリウムを入れて、イットリウム、バリウム、銅酸化物  組成は、Ｙ１２３であると明確に発明表明した。Ｘ氏が、やはり銅酸化物かと言ったので、（この人は、何故わかるのだと思いつつ、多分、理科の人か、医学の人か、たぶんこの人が実験するなと思った。）（周期表より、ランタン、バリウム、銅酸化物は、私にすれば、当然であった。）校門手前であったため、多くの学生等が登校していた。
５  昭和３８年  家の近くのため池からメタンガスが噴き出ているの見て、南海トラフのコオリの中にたくさんあり、将来の日本のエネルギーとなると発明した。（メタンハイドレート等）
６  この発明は、（鉄系高温超電導）鉄、砒素、酸素、ランタンの高温超電導にアモルファスを使うことで常温超電導の可能性を目ざしたものである。（東京工業大学より早く）平成１６年３月  総合県税事務所送別会（甲府市）の時ある女性職員に話した発明である。そのあと、ある男性職員の人が東京工業大学へ連絡するようにという話が聞こえたので依頼した。
鉄系高温超電導の常温超電導を目指すアモルファスは、狭く言えば光アモルファス（小学校のころ風に吹かれた川の水がきらきら光非結晶エネルギーとして使えると思った。）、広く言えばアモルファスでエピタキシャル薄膜に光アモルファス薄膜を層状にしたもの等。（等とは、広く言ったアモルファス）である。（現在は、未だない。但し、エピタキシャル薄膜の鉄系高温超電導の利用は、２００８年に規定の技術を使い東京工業大学でできている。）（２００９、１０、２９日  記入）
東京工業大学の細野教授は、インターネットで超電導材料の新鉱脈  鉄を主成分とする新系統の高温超電導物質を発見。の中で、「鉄や砒素に置き換えたのは、あるメンバーが、［どうしてもやってみたい］と言ってきたからです。ほかのメンバーから［先生、透明を捨てるんですか？］という声も聞かれました。正直言って私自身、こんな結果がでるとも思えなかった。・・・と書いて公表しております。
７  １から６をアレンジした発明（２００９年等たくさんできている。今後もできる。）
【技術の背景】
【０００２】  発明当時は、旧来なかったものである。
【発明の開示】
【発明が解決しようとする課題】
【０００３】  発明当時は、旧来なかったものである。
【課題を解決するための手段】
【０００４】  発明当時は、旧来なかったものである。
上記の［技術分野］のとおりである。
【発明の効果】
【０００５】１  リニアモーターカー、現在実用化中。高温超電導電線、車、電車、船、医療等さまざまな用途。
２  メタンハイドレート、化学工業等
【発明を実施するため最良の形態】
【０００６】  Ｙ系高温超電導は、世界最高出力であり、鉄系高温超電導は、常温超電導を目指すものである。その他は、上記の［技術分野］のとおりである。